(57)【要約】【課題】種類の異なるホストコンピュータと投票端末とがリアルタイムに通信できる。【解決手段】公営競技通信制御装置１は、情報制御部４が備える運用情報制御部４ａが、公営競技の種類ごとに設けられたホストコンピュータそれぞれに対応し、ホストコンピュータと通信を行うホスト通信部２がホストコンピュータのそれぞれから受け付けた公営競技の開催内容に関する運用情報を統合し、統合した運用情報を投票端末に表示させるための表示情報として投票端末と通信を行う投票端末通信部３に通知する。【選択図】図１
2012141771.tif 000002
【特許請求の範囲】
【請求項１】
公営競技の種類ごとに設けられたホストコンピュータと、各公営競技に対する投票を受け付ける投票端末との通信を制御する公営競技通信制御装置において、
前記ホストコンピュータそれぞれに対応し、前記ホストコンピュータと通信を行うホスト通信部と、
前記投票端末と通信を行う投票端末通信部と、
前記ホスト通信部が前記ホストコンピュータのそれぞれから受け付けた公営競技の開催内容に関する運用情報を統合し、前記統合した運用情報を前記投票端末に表示させるための表示情報として前記投票端末通信部に通知する運用情報制御部を備える情報制御部と、
を有することを特徴とする公営競技通信制御装置。
【請求項２】
前記情報制御部は、前記投票端末に充填した準備金の金額情報を予め設定した振り分け情報に基づき前記ホスト通信部に振り分けてそれぞれ記憶させる資金情報制御部、
をさらに有することを特徴とする請求項１記載の公営競技通信制御装置。
【請求項３】
前記情報制御部は、前記投票端末から前記投票端末通信部が受け付けた情報に対応する公営競技の種類を判別し、前記判別した公営競技の種類に対応するホスト通信部に前記情報を通知し、また、前記ホスト通信部が前記ホストコンピュータから受け付けた前記情報への応答に基づき、所定の要求を前記投票端末通信部に通知する発払制御部、
をさらに有することを特徴とする請求項２記載の公営競技通信制御装置。
【請求項４】
前記発払制御部は、前記投票端末から前記投票端末通信部が受け付けた前記情報が公営競技に対する投票内容を表す投票情報である場合には、前記ホスト通信部が前記ホストコンピュータから受け付けた前記投票情報への応答に基づき、前記投票情報に対応する投票券の発券実行要求を前記投票端末通信部に通知する、
ことを特徴とする請求項３記載の公営競技通信制御装置。
【請求項５】
前記発払制御部は、前記投票端末から前記投票端末通信部が受け付けた前記情報が公営競技に対する払い戻し要求である場合には、前記ホスト通信部が前記ホストコンピュータから受け付けた前記払い戻し要求への応答に基づき、払い戻し実行要求を前記投票端末通信部に通知する、
ことを特徴とする請求項３記載の公営競技通信制御装置。
【請求項６】
前記資金情報制御部は、前記投票端末通信部が前記投票端末から受け付けた前記投票内容に関する投票金を表す投票金情報を、前記投票内容に対する公営競技を判別して、判別した公営競技に対応する前記ホスト通信部にそれぞれ通知する、
ことを特徴とする請求項４記載の公営競技通信制御装置。
【請求項７】
前記運用情報制御部は、予め設定された表示する際の優先順位を表す優先順位情報に基づいて前記運用情報が表示される前記表示情報を生成する、
ことを特徴とする請求項１記載の公営競技通信制御装置。
【請求項８】
前記発払制御部は、公営競技の種類に関わらず、前記発券実行要求を前記投票端末通信部に通知するごとに、投票券に通し番号を割り振って管理することを特徴とする請求項４記載の公営競技通信制御装置。
【請求項９】
公営競技の種類ごとに設けられたホストコンピュータと、各公営競技に対する投票を受け付ける投票端末との通信を制御する公営競技通信制御方法において、
情報制御部が備える運用情報制御部は、前記ホストコンピュータそれぞれに対応し、前記ホストコンピュータと通信を行うホスト通信部が前記ホストコンピュータのそれぞれから受け付けた公営競技の開催内容に関する運用情報を統合し、前記統合した運用情報を前記投票端末に表示させるための表示情報として、前記投票端末と通信を行う投票端末通信部に通知する、
ことを特徴とする公営競技通信制御方法。
【発明の詳細な説明】
【技術分野】
【０００１】
公営競技通信制御装置及び公営競技通信制御方法に関する。
【背景技術】
【０００２】
競馬、競艇、競輪及びオートレースの公営競技は、公営競技ごとに設けられたホストコンピュータと、ホストコンピュータごとに通信可能に複数接続され、ユーザからの投票を受け付ける投票端末とが利用されている。例えば、競馬の場合では、競馬用のホストコンピュータがレース場、レース内容（騎手、馬、レースタイトル等）、レース結果、投票数、払い戻し数等の競馬開催の運用に関する情報と、発売金、払戻金、減算（取り消し）金等の資金に関する情報とを管理している。投票端末は、ユーザから投票要求の操作入力が行われ、ユーザから投票金を受け付けて、要求に応じたレースの投票券をユーザに発行する。また、投票端末は、要求された投票に関する情報並びに受け付けた投票金の情報はホストコンピュータに登録する。
【０００３】
このような投票端末から公営競技の種類が異なるホストコンピュータに投票する場合がある（例えば、特許文献１参照）。
【先行技術文献】
【特許文献】
【０００４】
【特許文献１】特開２００６−９９５２０号公報
【発明の概要】
【発明が解決しようとする課題】
【０００５】
しかし、この場合には、ホストコンピュータは公営競技の種類ごとにインタフェースの規格が異なるために、１台の投票端末をホストコンピュータごとに接続するだけでは投票を行うことができない。
【０００６】
例えば、複数のホストコンピュータと、１台の投票端末とを単に接続すると、投票端末は、各ホストコンピュータから公営競技に関する情報を受信すると、当該情報を受信した順に表示する。このため、投票を行うユーザは表示内容を度々確認する必要が生じる等、当該投票端末を利用するには不便であった。
【０００７】
本発明はこのような点に鑑みてなされたものであり、種類の異なるホストコンピュータと投票端末との通信を即時可能にする公営競技通信制御装置及び公営競技通信制御方法を提供することを目的とする。
【課題を解決するための手段】
【０００８】
上記課題を解決するために、公営競技の種類ごとに設けられたホストコンピュータと、各公営競技に対する投票を受け付ける投票端末との通信を制御する公営競技通信制御装置において、前記ホストコンピュータそれぞれに対応し、前記ホストコンピュータと通信を行うホスト通信部と、前記投票端末と通信を行う投票端末通信部と、前記ホスト通信部が前記ホストコンピュータのそれぞれから受け付けた公営競技の開催内容に関する運用情報を統合し、前記統合した運用情報を前記投票端末に表示させるための表示情報として前記投票端末通信部に通知する運用情報制御部を備える情報制御部と、を有する公営競技通信制御装置が提供される。
【０００９】
また、上記課題を解決するために、上記の公営競技通信制御装置と同様の方法が提供される。
【発明の効果】
【００１０】
上記の公営競技通信制御装置及び公営競技通信制御方法によれば、種類の異なるホストコンピュータと投票端末とがリアルタイムに通信できる。
【図面の簡単な説明】
【００１１】
【図１】第１の実施の形態に係る公営競技通信制御装置を説明するための概念図である。
【図２】第２の実施の形態に係る公営競技情報処理システムを説明するための概念図である。
【図３】第２の実施の形態に係る公営競技情報処理システムの競馬及び競艇ホストコンピュータのハードウェア構成を説明するための図である。
【図４】第２の実施の形態に係る公営競技情報処理システムの投票端末のハードウェア構成を説明するための図である。
【図５】第２の実施の形態に係る公営競技情報処理システムの公営競技通信制御装置のハードウェア構成を説明するための図である。
【図６】第２の実施の形態に係る公営競技情報処理システムの競馬及び競艇ホストコンピュータの機能を示す機能ブロック図である。
【図７】第２の実施の形態に係る公営競技情報処理システムの投票端末の機能を示す機能ブロック図である。
【図８】第２の実施の形態に係る公営競技情報処理システムの公営競技通信制御装置の機能を示す機能ブロック図である。
【図９】第２の実施の形態に係る公営競技情報処理システムの準備金の割り当て処理を実行するためのシークエンス図である。
【図１０】第２の実施の形態に係る公営競技情報処理システムの運用情報の送信及び更新処理を実行するためのシークエンス図である。
【図１１】第２の実施の形態に係る公営競技情報処理システムの投票及び投票券の発券処理を実行するためのシークエンス図である。
【図１２】第２の実施の形態に係る公営競技通信制御装置の投票券に対する追番の割り振り処理を説明するための図である。
【図１３】第２の実施の形態に係る公営競技情報処理システムの投票券の取り消し処理を実行するためのシークエンス図である。
【図１４】第２の実施の形態に係る公営競技情報処理システムの払い戻し処理を実行するためのシークエンス図である。
【図１５】第２の実施の形態に係る公営競技情報処理システムの終了処理を実行するためのシークエンス図である。
【図１６】第２の実施の形態に係る表示する際の優先順位の例を表す図である。
【図１７】第２の実施の形態に係る投票端末の受付画面の表示例を説明するための図である。
【図１８】第２の実施の形態に係る投票端末の投票、払い戻し、取り消し受付の表示例を説明するための図である。
【発明を実施するための形態】
【００１２】
以下、図面を参照して実施の形態について説明する。
［第１の実施の形態］
図１は、第１の実施の形態に係る公営競技通信制御装置を説明するための概念図である。
【００１３】
公営競技通信制御装置１は、公営競技の種類ごとに設けられたホストコンピュータと、各公営競技に対する投票を受け付ける１台以上の投票端末との通信を制御するものである。
【００１４】
このような公営競技通信制御装置１は、図１に示されるように、各ホストコンピュータにそれぞれ対応しホストコンピュータと通信を行うホスト通信部２（図１では２種）と、投票端末と通信を行う投票端末通信部３と、情報制御部４とを備える。なお、図１では、２種の公営競技のホストコンピュータにそれぞれ対応した２種のホスト通信部２が通信可能に接続されている場合を表している。
【００１５】
さらに、情報制御部４は、運用情報制御部４ａと、資金情報制御部４ｂと、発払制御部４ｃとを備える。
運用情報制御部４ａは、ホスト通信部２がホストコンピュータから受け付けた公営競技の開催内容に関する運用情報を、１つにまとめて生成した投票端末に表示させるための表示情報を投票端末通信部３に通知する。なお、開催内容に関する運用情報は、例えば、開催要項、レース名等の開催される競技の運用に関する諸情報である。
【００１６】
資金情報制御部４ｂは、投票端末通信部３が投票端末から受け付けた投票内容に対する投票金を表す投票金情報を、投票内容に対する公営競技を判別して、判別した公営競技に対応するホスト通信部２にそれぞれ通知する。
【００１７】
発払制御部４ｃは、投票端末から投票端末通信部３が受け付けた情報に対応する公営競技を判別し、判別した公営競技に対応するホスト通信部２に情報を通知し、ホスト通信部２がホストコンピュータから受け付けた情報への応答に基づき、所定の要求を投票端末通信部３に通知する。
【００１８】
このような構成を有する公営競技通信制御装置１の動作について説明する。
まず、ユーザが投票を行うために投票端末に電源を投入すると、投票を受け付けるための表示情報の転送要求が投票端末から公営競技通信制御装置１を介してホストコンピュータにそれぞれ送信される。
【００１９】
各ホストコンピュータは公営競技の開催内容に関する運用情報をホスト通信部２にそれぞれ送信し、ホスト通信部２は受け付けた運用情報を情報制御部４の運用情報制御部４ａにそれぞれ通知する。
【００２０】
運用情報制御部４ａは、通知された各ホストコンピュータからの運用情報を１つにまとめて表示情報を生成して、当該表示情報を投票端末通信部３に通知する。
投票端末通信部３は、通知された表示情報を投票端末に送信して、投票端末は、受信した表示情報に基づいて、各公営競技に対する投票受付画面を同時に表示でき、また、各公営競技に対する同時受け付けが可能になる。
【００２１】
また、上記の処理は、各ホストコンピュータにおいて公営競技に関する開催内容（投票締切情報並びにレース結果確定情報等）が更新されるごとに行われて、投票端末に表示される公営競技の開催内容が逐次更新される。
【００２２】
次いで、ユーザはこのように公営競技の開催内容が表示されている投票端末に操作入力を行って、所望のレースに対する投票券の発券要求を行うと、投票端末から投票端末通信部３に投票内容を表す投票情報（場名、レース番号、賭式、投票金等）が送信される。発払制御部４ｃは、投票端末通信部３から当該投票情報を受け付けると、当該投票に対応する公営競技を判別して、判別した公営競技に対応するホスト通信部２に当該投票情報を通知する。ホスト通信部２は、投票情報をホストコンピュータに送信して、ホストコンピュータから当該投票情報への応答を受信する。発払制御部４ｃは、ホスト通信部２が受信した応答に応じて、当該投票情報に基づいた投票券の発券実行要求を投票端末通信部３に通知して、投票端末は、投票端末通信部３から受信した当該発券実行要求に基づいた投票券を発券する。
【００２３】
また、ユーザは、投票端末に対して発券要求の操作入力を行うと共に投票券の投票金を投入すると、当該投票金の投票金情報が投票端末通信部３に送信される。資金情報制御部４ｂは、投票端末通信部３から当該投票金情報が通知されると、当該投票に対応する公営競技を判別して、判別した公営競技に対応するホスト通信部２に当該投票金情報を通知する。そして、ホストコンピュータに当該投票金情報がホスト通信部２から送信される。
【００２４】
なお、このようにして購入した投票券が当たり券であった場合の払い戻しの場合には、ユーザは、投票端末に対して払い戻し要求の操作入力を行うと、投票端末は投票端末通信部３に当該払い戻し要求を送信する。資金情報制御部４ｂは、投票端末通信部３が受信した払い戻し要求に対応する公営競技を判別し、判別した公営競技に対応するホスト通信部２に当該払い戻し要求を通知する。資金情報制御部４ｂは、ホストコンピュータからホスト通信部２が受け付けた払い戻し要求に応じた払い戻し実行要求を投票端末通信部３に通知すると、投票端末は、投票端末通信部３から当該払い戻し実行要求が送信されて、当該払い戻し実行要求に応じた配当金をユーザに対して出金する。
【００２５】
このように、公営競技の種類ごとに設けられたホストコンピュータと、各公営競技に対する投票を受け付ける投票端末との間の通信を行うために公営競技通信制御装置１を設けた。公営競技通信制御装置１は、運用情報制御部４ａにより各ホストコンピュータから送信された運用情報を１つにまとめて表示情報を生成して、当該表示情報に基づいて投票端末に表示を行わせるようにした。また、資金情報制御部４ｂ及び発払制御部４ｃは、投票端末通信部３が投票端末から受け付けた公営競技に関する情報を、判別した当該公営競技に対応するホスト通信部２に通知して、ホストコンピュータに送信するようにした。
【００２６】
これにより、投票端末はホストコンピュータからの受信順に関わらず表示することが可能となり、投票端末から複数の公営競技に対して同時に投票することが可能になる。したがって、種類の異なるホストコンピュータと投票端末とを即時通信することが可能となる。
【００２７】
［第２の実施の形態］
第２の実施の形態では、第１の実施の形態をより具体的に説明する。
図２は、第２の実施の形態に係る公営競技情報処理システムを説明するための概念図である。
【００２８】
公営競技情報処理システム１０は、競馬ホストコンピュータ２０と、競艇ホストコンピュータ３０と、競馬、競艇に対するユーザの投票を受け付け、また、投票結果に応じた配当金の払い戻しを実行する１台以上の投票端末４０と、競馬ホストコンピュータ２０及び競艇ホストコンピュータ３０と投票端末４０との通信を制御する公営競技通信制御装置５０と、を有する。また、公営競技通信制御装置５０には、外部管理装置６０が接続されている。図２には、公営競技通信制御装置５０と投票端末４０が１対１で接続された例を示しているがこれに限らず、通常の公営競技システムにおいては１対Ｎ（多数）で接続されるのが望ましい。
【００２９】
競馬ホストコンピュータ２０及び競艇ホストコンピュータ３０は競馬及び競艇に関する各競技情報及び各競技結果の集計並びに管理等を行って、競技の開催内容に関する情報を配信することができる。なお、第２の実施の形態では、公営競技として競馬及び競艇を例に挙げて説明するが、競馬・競艇に限らず、競輪、オートレース等であってもよく、また、競馬・競艇に加えて、これらを追加しても構わない。
【００３０】
投票端末４０は、後述する公営競技通信制御装置５０を介して競馬ホストコンピュータ２０及び競艇ホストコンピュータ３０と接続しており、競馬及び競艇のレースの投票をそれぞれ受け付けて、投票結果に応じた配当金の払い戻しを行うことができる。
【００３１】
公営競技通信制御装置５０は、競馬ホストコンピュータ２０及び競艇ホストコンピュータ３０と、投票端末４０との間の通信の制御を実行することができる。公営競技通信制御装置５０の詳細については後述する。
【００３２】
また、外部管理装置６０は、公営競技通信制御装置５０と通信可能に接続されており、当該外部管理装置６０により公営競技通信制御装置５０に対して公営競技の投票に関する設定を行い、または当該設定を変更することが可能である。
【００３３】
次に、競馬ホストコンピュータ２０、競艇ホストコンピュータ３０、投票端末４０及び公営競技通信制御装置５０のハードウェア構成について説明する。
図３は、第２の実施の形態に係る公営競技情報処理システムの競馬及び競艇ホストコンピュータのハードウェア構成を説明するための図である。なお、図３では、競馬ホストコンピュータ２０及び競艇ホストコンピュータ３０を共に表しており、例えば、「制御ユニット２１０，３１０」は、制御ユニット２１０は競馬ホストコンピュータ２０の構成であり、制御ユニット３１０は競艇ホストコンピュータ３０の構成であることを表す。
【００３４】
競馬ホストコンピュータ２０及び競艇ホストコンピュータ３０は、競馬及び競艇の各競技情報及び各競技結果の集計並びに管理等を行うものである。
このような競馬ホストコンピュータ２０及び競艇ホストコンピュータ３０は、制御ユニット２１０，３１０と、表示入力ユニット２２０，３２０とを具備する。
【００３５】
制御ユニット２１０，３１０は装置全体を制御するものであって、ＣＰＵ（Central Processing Unit）２１１，３１１、ＲＡＭ（Random Access Memory）２１２，３１２、通信部２１３，３１３、グラフィック処理部２１４，３１４、ＨＤＤ（Hard Disk Drive）２１５，３１５及び入出力制御部２１６，３１６を備える。
【００３６】
ＣＰＵ２１１，３１１は、ＨＤＤ２１５，３１５等の記憶媒体に記憶された各種プログラムを実行することにより、この競馬ホストコンピュータ２０及び競艇ホストコンピュータ３０全体を統括的に制御する。
【００３７】
ＲＡＭ２１２，３１２には、ＣＰＵ２１１，３１１に実行させるＯＳ（Operating System）及びプログラムの少なくとも一部が一時的に格納される。また、ＲＡＭ２１２，３１２には、ＣＰＵ２１１，３１１による処理に必要な各種データが格納される。
【００３８】
通信部２１３，３１３は、後述する公営競技通信制御装置５０と通信可能に、例えばＬＡＮ（Local Area Network）でそれぞれ接続されており、送受信信号の通信を行うことができる。
【００３９】
グラフィック処理部２１４，３１４は、具体例としては、ビデオカード、グラフィックボードであって、ＣＰＵ２１１，３１１からの命令に従って、表示入力ユニット２２０，３２０に表示させる画像データを表示入力ユニット２２０，３２０の表示部２２１，３２１に送信する。
【００４０】
ＨＤＤ２１５，３１５には、競馬ホストコンピュータ２０及び競艇ホストコンピュータ３０上のＯＳ及びアプリケーションのプログラムが格納される。また、ＨＤＤ２１５，３１５には、ＣＰＵ２１１，３１１による処理に必要な各種データが格納される。
【００４１】
入出力制御部２１６，３１６には、表示入力ユニット２２０，３２０の入力部２２２，３２２が接続されている。当該入力部２２２，３２２は、バス２１７，３１７を介してＣＰＵ２１１，３１１と相互に信号の送受信を行う。
【００４２】
また、表示入力ユニット２２０，３２０は、通知された画像情報に基づいて画像を表示する液晶ディスプレイである表示部２２１，３２１と、操作入力を受け付けるタッチパネルやキーボートやマウス等の入力装置が接続された入力部２２２，３２２とを備える。
【００４３】
図４は、第２の実施の形態に係る公営競技情報処理システムの投票端末のハードウェア構成を説明するための図である。
投票を受け付けて、投票結果に応じた配当金の払い戻しを行う投票端末４０は、投票端末４０で行われる所定の処理の実行及び各種ユニットの動作を制御する制御ユニット４１０、ユーザからの操作入力を受け付けて、処理結果を表示する表示入力ユニット４２０を有する。さらに、投票端末４０は、投票カードに記入された投票内容を読み取る投票カード処理ユニット４３０、投票券を発券し、また、投票券の投票内容を読み取る投票券処理ユニット４４０、当たり投票券に対応する配当金、投票券購入時の釣銭等の入出金を実行する現金処理ユニット４５０を有する。
【００４４】
制御ユニット４１０は、ＣＰＵ４１１、ＲＡＭ４１２、通信部４１３、グラフィック処理部４１４、ＨＤＤ４１５及び入出力制御部４１６を備えており、これらの各部はバス４１７で相互に接続されている。
【００４５】
なお、ＣＰＵ４１１、ＲＡＭ４１２、通信部４１３、グラフィック処理部４１４、ＨＤＤ４１５及び入出力制御部４１６は、図３に示した競馬ホストコンピュータ２０及び競艇ホストコンピュータ３０のＣＰＵ２１１，３１１、ＲＡＭ２１２，３１２、通信部２１３，３１３、グラフィック処理部２１４，３１４、ＨＤＤ２１５，３１５及び入出力制御部２１６，３１６と同じ動作を行うものであるために、それぞれの説明は省略する。なお、本実施例では各種プログラムをＨＤＤに記憶させているが、これに限らず、例えばコンパクトフラッシュ（登録商標）等のメモリカード等に記憶させても良い。
【００４６】
また、表示入力ユニット４２０もまた図３に示した競馬ホストコンピュータ２０及び競艇ホストコンピュータ３０の表示入力ユニット２２０，３２０と同じ構成並びに同じ動作を行うものであるためにそれぞれの説明は省略する。
【００４７】
入出力制御部４１６には、投票カード処理ユニット４３０、投票券処理ユニット４４０及び現金処理ユニット４５０が接続されており、それぞれバス４１７を介してＣＰＵ４１１と相互に信号の送受信を行う。
【００４８】
図５は、第２の実施の形態に係る公営競技情報処理システムの公営競技通信制御装置のハードウェア構成を説明するための図である。
公営競技通信制御装置５０は、ホスト通信部５１１、ＣＰＵ５１２、端末通信部５１３、ＲＡＭ５１４、入出力制御部５１５及びＨＤＤ５１６を備えており、これらの各部はバス５１７で相互に接続されている。
【００４９】
なお、ＣＰＵ５１２、ＲＡＭ５１４及びＨＤＤ５１６は、図３に示した競馬ホストコンピュータ２０及び競艇ホストコンピュータ３０のＣＰＵ２１１，３１１、ＲＡＭ２１２，３１２及びＨＤＤ２１５，３１５と同じ動作を行うものであるため、それぞれの説明は省略する。なお、本実施例では各種プログラムをＨＤＤに記憶させているが、これに限らず、例えばコンパクトフラッシュ等のメモリカード等に記憶させても良い。
【００５０】
ホスト通信部５１１は、図３に示した競馬ホストコンピュータ２０及び競艇ホストコンピュータ３０の通信部２１３，３１３と通信を実行することができる。
端末通信部５１３は、図４に示した投票端末４０の通信部４１３と通信を実行することができる。
【００５１】
入出力制御部５１５は、外部管理装置６０が接続されており、当該外部管理装置６０とバス５１７を介してＣＰＵ５１２と相互に信号の送受信を行う。
なお、外部管理装置６０のハードウェア構成の図示については省略するが、例えば、図３に示したように、少なくとも、ＣＰＵ、ＲＡＭ、通信部、表示部が接続されたグラフィック処理部、ＨＤＤ及び入力部が接続された入力制御部を備えている。
【００５２】
次いで、競馬ホストコンピュータ２０、競艇ホストコンピュータ３０、投票端末４０及び公営競技通信制御装置５０が備える機能を表す機能ブロック図についてそれぞれ説明する。
【００５３】
図６は、第２の実施の形態に係る公営競技情報処理システムの競馬及び競艇ホストコンピュータの機能を示す機能ブロック図である。
競馬ホストコンピュータ２０及び競艇ホストコンピュータ３０は、図６に示されるように、運用情報保持部２１，３１、資金情報保持部２２，３２、公営競技管理制御部２３，３３及び通信制御部２４，３４を備える。
【００５４】
運用情報保持部２１，３１は、公営競技に関する開催内容を表す運用情報を保持する。例えば、競馬の場合には、レース会場に関する情報、レースごとに出馬する馬並びに騎手の情報、発売投票券数、払い戻し投票券数、レース結果等の運用情報を保持する。
【００５５】
資金情報保持部２２，３２は、公営競技に関する資金を表す資金情報を保持する。例えば、ユーザにより投票時に支払われる投票に応じた発売（購入）金、当たり投票券に応じて払い戻される配当金、ユーザからの要求に応じて投票を取り消した際の減算（取り消し）金等の金額に関する情報を保持する。
【００５６】
公営競技管理制御部２３，３３は、後述する通信制御部２４，３４からの通知内容に応じて、運用情報保持部２１，３１及び資金情報保持部２２，３２が保持する運用情報及び資金情報の更新等を行い、また、運用情報及び資金情報を通信制御部２４，３４から外部に送信する。また、公営競技管理制御部２３，３３は、通信制御部２４，３４が受信した要求に応じて、投票登録、払い戻しの可否の判定を行い、また、通信制御部２４，３４から種々の要求並びに情報を送信させる。
【００５７】
通信制御部２４，３４は公営競技通信制御装置５０と通信可能に接続されており、情報の送受信を実行することができる。
なお、競馬ホストコンピュータ２０及び競艇ホストコンピュータ３０には、ＩＰアドレスに「Ａ」，「Ｂ」が、電文ＩＤに「ａａａ」，「ｂｂｂ」がそれぞれ設定されている。
【００５８】
図７は、第２の実施の形態に係る公営競技情報処理システムの投票端末の機能を示す機能ブロック図である。なお、ユニット部１４００は、図４に示した、投票カード処理ユニット４３０、投票券処理ユニット４４０及び現金処理ユニット４５０の総称である。
【００５９】
投票端末４０は、ユーザからの操作入力に応じて、投票カードの受け付け、投票券の発券、当たり投票券に対応する配当金の払い戻しを実行し、後述する公営競技通信制御装置５０と通信可能に接続されているものである。
【００６０】
このような投票端末４０の制御ユニット４１０は、図７に示されるように、入力情報受付部４１、投票制御部４２、通信制御部４３、ユニット制御部４４及び表示制御部４５を有する。なお、その他の表示部４２１，入力部４２２及びユニット部１４００（投票カード処理ユニット４３０、投票券処理ユニット４４０及び現金処理ユニット４５０）については図４で説明したとおりである。
【００６１】
入力情報受付部４１は、入力部４２２で入力された入力情報、ユニット部１４００（投票カード処理ユニット４３０、投票券処理ユニット４４０及び現金処理ユニット４５０）で読み取った読取情報を入力情報として受け付ける。
【００６２】
投票制御部４２は、入力情報受付部４１が受け付けた情報並びに通信制御部４３からの情報に応じて、当該情報を通信制御部４３、表示制御部４５に通知し、または、ユニット制御部４４にユニット部１４００の制御を実行させる。例えば、入力情報受付部４１がユーザによる入力部４２２への投票要求の操作入力と、投票カード処理ユニット４３０で読み取られた投票カードの投票情報とを受け付けると、投票制御部４２は、通信制御部４３から当該投票要求を公営競技通信制御装置５０に送信させる。また、通信制御部４３が配当金の払い戻し実行要求を受信すると、投票制御部４２は、ユニット制御部４４に現金処理ユニット４５０から当該配当金に対応する金額の出金制御を実行させる。
【００６３】
通信制御部４３は、投票制御部４２から送信要求された情報を、公営競技通信制御装置５０を介して競馬ホストコンピュータ２０及び競艇ホストコンピュータ３０に送信する。また、競馬ホストコンピュータ２０及び競艇ホストコンピュータ３０からの情報を、公営競技通信制御装置５０を介して受信して投票制御部４２に通知する。
【００６４】
ユニット制御部４４は、投票制御部４２の制御要求に基づいて、ユニット部１４００（投票カード処理ユニット４３０、投票券処理ユニット４４０及び現金処理ユニット４５０）の各ユニットを制御して駆動させる。
【００６５】
表示制御部４５は、投票制御部４２からの表示要求に基づいて、表示部４２１に表示させる。
投票端末４０には、ＩＰアドレスに「Ｃ」が、電文ＩＤに「ｃｃｃ」がそれぞれ設定されている。なお、投票端末４０が複数接続されるシステムにおいては、ＩＰアドレス及び電文ＩＤはそれぞれ個別に異なるように設定されている。
【００６６】
図８は、第２の実施の形態に係る公営競技情報処理システムの公営競技通信制御装置の機能を示す機能ブロック図である。
公営競技通信制御装置５０は、競馬ホストコンピュータ２０及び競艇ホストコンピュータ３０と、投票端末４０との通信を制御するものである。
【００６７】
このような公営競技通信制御装置５０は、図８に示されるように、競馬ホストコンピュータ２０と通信を実行するホスト通信部５１と、競艇ホストコンピュータ３０と通信を実行するホスト通信部５２と、投票端末４０と通信を実行する端末通信部５３と、情報制御部５４とを有する。
【００６８】
ホスト通信部５１，５２は、資金情報記録部５１ａ，５２ａと、通信制御部５１ｂ，５２ｂと、投票情報管理部５１ｃ，５２ｃと、を有する。
資金情報記録部５１ａ，５２ａは、投票端末４０に予め充填される準備金から割り当てられた金額情報をそれぞれ記録する。例えば、投票端末４０に１０万円を充填した場合、資金情報記録部５１ａ，５２ａにそれぞれ６万円、４万円の金額情報が割り当てられる。なお、資金管理情報記録部５１ａ，５２ａに記録されている金額情報は、１台以上の投票端末に個別に設定することが可能であり、例えば、外部管理装置６０から設定を可能とするように構成しても良い。また、資金情報記録部５１ａ，５２ａが記録する資金情報は、投票金、配当金、投票の取り消しに伴う取り消し金等の投票を行うに当たっての金額の入出金に応じて増減される。
【００６９】
通信制御部５１ｂ，５２ｂは、競馬ホストコンピュータ２０及び競艇ホストコンピュータ３０の通信制御部２４，３４（図６を参照）とそれぞれ通信を実行する。なお、ホスト通信部５１，５２には、ＩＰアドレスに「Ａ’」，「Ｂ’」が、電文ＩＤに「ａａａ」，「ｂｂｂ」がそれぞれ設定されている。即ち、ＩＰアドレス「Ａ」（競馬ホストコンピュータ２０）と、ＩＰアドレス「Ａ’」（通信制御部５１ｂ）との間で、また、ＩＰアドレス「Ｂ」（競艇ホストコンピュータ３０）と、ＩＰアドレス「Ｂ’」（通信制御部５２ｂ）との間で、それぞれ通信が行えるように設定しておく。
【００７０】
投票情報管理部５１ｃ，５２ｃは、通信制御部５１ｂ，５２ｂが競馬ホストコンピュータ２０及び競艇ホストコンピュータ３０から受信した運用情報を後述する情報制御部５４に通知する。また、投票情報管理部５１ｃ，５２ｃは、情報制御部５４から通知されたユーザの各公営競技に対する投票内容を受け付けて、通信制御部５１ｂ，５２ｂを介して競馬ホストコンピュータ２０及び競艇ホストコンピュータ３０に送信する。
【００７１】
また、端末通信部５３は、通信制御部５３ａと、情報変換部５３ｂと、を有する。
通信制御部５３ａは、投票端末４０の通信制御部４３（図７を参照）と通信を実行する。なお、端末通信部５３には、ＩＰアドレスに「Ｃ’」が、電文ＩＤに「ｃｃｃ」が設定されている。即ち、ＩＰアドレス「Ｃ」（投票端末４０）と、ＩＰアドレス「Ｃ’」（端末通信部５３）との間で通信が行えるように設定されている。なお、投票端末４０が複数接続される場合では、端末通信部５３には、１台以上の投票端末と通信可能となるようにそれぞれのＩＰアドレスが、それぞれ電文ＩＤに対応するように設定される。
【００７２】
情報変換部５３ｂは、情報制御部５４から通知された競馬ホストコンピュータ２０及び競艇ホストコンピュータ３０からの情報を投票端末４０に対応したインタフェースに変換し、また、投票端末４０から通信制御部５３ａを介して受信した情報を競馬ホストコンピュータ２０及び競艇ホストコンピュータ３０にそれぞれ対応したインタフェースに変換する。具体的には、投票端末４０から受け付けた情報の電文ＩＤ「ｃｃｃ」の形式を、競馬ホストコンピュータ２０に送信する場合には、電文ＩＤ「ａａａ」に変換し、競艇ホストコンピュータ３０に送信する場合には、電文ＩＤ「ｂｂｂ」に変換する。一方、競馬ホストコンピュータ２０及び競艇ホストコンピュータから受け付けた情報の電文ＩＤ「ａａａ」，「ｂｂｂ」の形式を、投票端末４０に送信する場合には、電文ＩＤ「ｃｃｃ」に変換する。
【００７３】
そして、情報制御部５４は、運用情報記録部５４ａと、発払履歴情報記録部５４ｂと、運用情報制御部５４ｃと、発払制御管理部５４ｄと、資金情報制御部５４ｅと、を有する。
【００７４】
運用情報記録部５４ａは、競馬ホストコンピュータ２０及び競艇ホストコンピュータ３０から受信した運用情報を記録する。
発払履歴情報記録部５４ｂは、競馬及び競艇に対して行った投票及び投票結果に応じた当たり投票券に対応する配当金の払い戻しの履歴を記録する。また、このような履歴と共に投票に応じた投票金及び配当金を記録する。さらに、発券した投票券に割り振った通し番号（追番）も記録する。
【００７５】
運用情報制御部５４ｃは、ホスト通信部５１，５２で受け付けた競馬及び競艇に関する運用情報を、１つにまとめて投票端末４０に表示させるための表示情報を生成して、当該表示情報を端末通信部５３に通知する。また、運用情報制御部５４ｃは、ホスト通信部５１，５２から受け付けた運用情報を運用情報記録部５４ａに記録させる。
【００７６】
発払制御管理部５４ｄは、投票端末４０から受け付けた情報に対応されている公営競技を当該情報から判別し、判別した公営競技に対応するホスト通信部５１，５２に当該情報を通知する。例えば、ユーザが投票端末４０に対して競馬の投票の操作入力を行った場合、発払制御管理部５４ｄは、投票端末４０から投票情報を受け付けると、当該投票情報から公営競技が競馬であることを判別し、競馬に対応するホスト通信部５１に当該投票情報を通知する。また、発払制御管理部５４ｄは、ホスト通信部５１，５２から受け付けた応答に応じた要求を端末通信部５３に通知する。例えば、上記の競馬に対して投票を行った場合に、競馬ホストコンピュータ２０が投票情報での投票券の発券許可を応答すると、当該発券許可がホスト通信部５１を介して通知された発払制御管理部５４ｄは、発券実行要求を端末通信部５３に通知して、投票端末４０から当該投票情報の投票券を発行させる。また、発払制御管理部５４ｄは、このようにして投票券を発券させた場合及び配当金を払い戻させた場合には当該投票及び払い戻しを発払履歴情報記録部５４ｂに記録する。
【００７７】
資金情報制御部５４ｅは、まず、投票端末４０に充填された準備金を外部管理装置６０による設定に応じた金額に割り当てて、割り当てた金額の金額情報をホスト通信部５１，５２の資金情報記録部５１ａ，５２ａに記録する。また、資金情報制御部５４ｅは、ユーザの投票端末４０に対する投票時における投票金に対応されている公営競技を判別し、判別した公営競技に対応するホスト通信部５１，５２に投票金を表す投票金情報を通知する。例えば、ユーザが投票端末４０に対して競馬の投票の操作入力と共に投票金の投入を行った場合、資金情報制御部５４ｅは、投票端末４０から投票金情報を受け付けると、当該投票金情報に対応する公営競技が競馬であることを判別し、競馬に対応するホスト通信部５１の資金情報記録部５１ａに当該投票金情報を記録する。資金情報制御部５４ｅは競馬及び競艇における投票に関して資金の増減の発生に伴って、対応する資金情報記録部５１ａ，５２ａに記録されている資金情報の増減を行う。
【００７８】
次に、このような構成を有する公営競技情報処理システム１０で実行される様々な処理について説明する。
まず、初期設定として、投票端末４０に準備金を充填し、当該準備金から競馬用及び競艇用としてホスト通信部５１，５２に割り当てる処理について説明する。
【００７９】
図９は、第２の実施の形態に係る公営競技情報処理システムの準備金の割り当て処理を実行するためのシークエンス図である。
［ステップＳ１１］  公営競技情報処理システムの管理を行う管理者が投票端末４０の現金処理ユニット４５０に準備金を、例えば、５０万円充填すると、現金処理ユニット４５０は、計数した準備金の金額情報を入力情報受付部４１に通知し、投票制御部４２は準備金の金額情報を通信制御部４３から公営競技通信制御装置５０に送信する。
【００８０】
公営競技通信制御装置５０では、情報変換部５３ｂは、通信制御部５３ａが受信した準備金の金額情報を電文ＩＤ「ｃｃｃ」の形式から、電文ＩＤ「ａａａ」，「ｂｂｂ」に変換して、情報制御部５４の資金情報制御部５４ｅに通知する。
【００８１】
なお、資金情報制御部５４ｅは外部管理装置６０により競馬用及び競艇用に、投票端末４０に充填した準備金の金額情報から、所定の金額に割り当てるように予め設定されている。例えば、投票端末４０に充填された準備金が５０万円である場合には、当該準備金の金額情報を競馬用及び競艇用として３０万円及び２０万円にそれぞれ相当する金額情報に割り当てるように設定されている。
【００８２】
資金情報制御部５４ｅは、予め設定された割り当て金額情報の合計と、投票端末４０から受信した準備金の金額情報とを比較する。次の処理は、比較の結果、これらの金額情報が一致しない場合にはステップＳ１２に進められ、一致する場合にはステップＳ１３に進められる。
【００８３】
［ステップＳ１２］  資金情報制御部５４ｅは、準備金の割り当てが不可である旨を端末通信部５３に通知する。
端末通信部５３の情報変換部５３ｂは、割り当て不可である旨を投票端末４０に対応した電文ＩＤ「ｃｃｃ」の形式に変換して通信制御部５３ａから投票端末４０に送信する。これにより投票端末４０では、割り当て不可である旨を表示部４２１に表示することで管理者に通知する。
【００８４】
［ステップＳ１３，Ｓ１４］  資金情報制御部５４ｅは、準備金の金額情報から所定の割り当てた額に相当する金額情報をホスト通信部５１，５２の資金情報記録部５１ａ，５２ａに記録する。例えば、５０万円の準備金から３０万円及び２０万円に相当する金額情報をホスト通信部５１，５２の資金情報記録部５１ａ，５２ａに記録する。
【００８５】
［ステップＳ１５，Ｓ１６］  資金情報制御部５４ｅは、準備金の金額情報の割り当てが完了すると、割り当てが完了した旨を端末通信部５３に通知する。
端末通信部５３の情報変換部５３ｂは、割り当てが完了した旨を投票端末４０に対応した電文ＩＤ「ｃｃｃ」の形式に変換して通信制御部５３ａから投票端末４０に送信する。これにより投票端末４０では、割り当て完了である旨を表示部４２１に表示することで管理者に通知する。
【００８６】
以上により、公営競技情報処理システム１０の準備金の割り当て処理が終了する。
次に、競馬ホストコンピュータ２０及び競艇ホストコンピュータ３０から投票端末４０に公営競技に関する運用情報を送信して、投票端末４０で表示する処理について説明する。
【００８７】
図１０は、第２の実施の形態に係る公営競技情報処理システムの運用情報の送信及び更新処理を実行するためのシークエンス図である。
なお、以下では、図９で説明した初期設定を行った投票端末４０の電源を一旦落とした後、ユーザによって投票端末４０に再び電源が投入された場合について説明する。
【００８８】
［ステップＳ２１，Ｓ２２］  投票を行うためにユーザが投票端末４０の電源を投入すると、投票端末４０の入力情報受付部４１が電源投入を受け付けると、投票制御部４２は、競馬ホストコンピュータ２０及び競艇ホストコンピュータ３０に対して運用情報の転送要求を通信制御部４３から端末通信部５３に送信する。
【００８９】
端末通信部５３の通信制御部５３ａが運用情報の転送要求を受信すると、情報変換部５３ｂが競馬ホストコンピュータ２０及び競艇ホストコンピュータ３０に対応した電文ＩＤの形式に変換して、変換した運用情報転送要求を情報制御部５４に通知する。
【００９０】
情報制御部５４の発払制御管理部５４ｄは、運用情報転送要求をホスト通信部５１，５２に通知する。そして、ホスト通信部５１，５２の投票情報管理部５１ｃ，５２ｃは運用情報転送要求を通信制御部５１ｂ，５２ｂを介して競馬ホストコンピュータ２０及び競艇ホストコンピュータ３０にそれぞれ送信する。
【００９１】
［ステップＳ２３，Ｓ２４］  競馬ホストコンピュータ２０及び競艇ホストコンピュータ３０は運用情報転送要求に応じて、受信時の競馬及び競艇の開催内容を表す運用情報をホスト通信部５１，５２にそれぞれ送信する。
【００９２】
ホスト通信部５１，５２の通信制御部５１ｂ，５２ｂが競馬及び競艇の運用情報を受信すると、投票情報管理部５１ｃ，５２ｃは競馬及び競艇の運用情報を情報制御部５４にそれぞれ通知する。
【００９３】
［ステップＳ２５］  情報制御部５４の運用情報制御部５４ｃは、通知された競馬及び競艇の運用情報を１つにまとめて表示情報を生成し、生成した表示情報を端末通信部５３に通知する。
【００９４】
なお、競馬及び競艇の運用情報を表示させる際に優先順位を予め設定しておけば、運用情報制御部５４ｃは、当該優先順位に基づいて表示させるように表示情報を生成することができる。
【００９５】
［ステップＳ２６］  端末通信部５３の情報変換部５３ｂは通知された表示情報を投票端末４０に対応した電文ＩＤの形式に変換して、通信制御部５３ａから投票端末４０に送信する。
【００９６】
以後、投票端末４０は、競馬及び競艇の運用情報が変更されるごとに上記のステップＳ２３〜Ｓ２６の処理が実行されることで、常に競馬及び競艇の最新の運用情報を表示することができる。この際、ユーザにより既に購入された投票券が当たった場合には、当該投票券に対応する配当金分がホスト通信部５１，５２の資金情報記録部５１ａ，５２ａに増額される。
【００９７】
以上により、投票端末４０に対する開催内容を表す運用情報の送信及び更新処理が完了する。
次に、競馬及び競艇に対して投票を行った際の投票券の発券処理について説明する。
【００９８】
図１１は、第２の実施の形態に係る公営競技情報処理システムの投票及び投票券の発券処理を実行するためのシークエンス図である。
［ステップＳ３１］  ユーザが投票端末４０に表示されている競馬及び競艇の開催内容から所望のレースに対して入力部４２２に操作入力を行って投票を行うと共に現金処理ユニット４５０に投票に必要な額の投票金を投入して、入力情報受付部４１が投票内容を表す投票情報と投票金を表す投票金情報を受け付けると、投票制御部４２は、投票情報に基づいた投票券の発券要求と投票金情報とを通信制御部４３から端末通信部５３に送信する。
【００９９】
端末通信部５３が発券要求及び投票金情報を受信すると、競馬ホストコンピュータ２０及び競艇ホストコンピュータ３０に対応した電文ＩＤの形式に変換して、変換した各情報を情報制御部５４に通知する。
【０１００】
なお、この時、情報制御部５４の発払制御管理部５４ｄに投票情報に基づいた発券要求が、資金情報制御部５４ｅに投票金情報がそれぞれ通知される。
情報制御部５４の発払制御管理部５４ｄは、運用情報制御部５４ｃを介して運用情報記録部５４ａを参照して、通知された投票情報に対応するレース等が存在するか否かを判定する。次の処理は、通知された投票情報が運用情報記録部５４ａに記録されていない場合にはステップＳ３２に進められ、記録されている場合にはステップＳ３３，Ｓ３４に進められる。
【０１０１】
［ステップＳ３２］  情報制御部５４の発払制御管理部５４ｄは、投票情報に基づいた投票券の発券が不可である旨を端末通信部５３に通知し、端末通信部５３の情報変換部５３ｂで投票端末４０に対応した電文ＩＤの形式を変換して、投票端末４０に送信する。
【０１０２】
投票端末４０は発券が不可である旨を表示部４２１に表示すると共に現金処理ユニット４５０から投票金を返却する。
［ステップＳ３３，Ｓ３４］  情報制御部５４の発払制御管理部５４ｄは、発券要求の投票情報に対応する公営競技を判別して、判別した公営競技に対応するホスト通信部５１，５２に当該発券要求を通知する。また、資金情報制御部５４ｅも、投票金情報に対応する公営競技を判別して、判別した公営競技に対応するホスト通信部５１，５２の資金情報記録部５１ａ，５２ａに当該投票金情報を増額して記録する。
【０１０３】
ホスト通信部５１，５２の投票情報管理部５１ｃ，５２ｃは、投票情報に基づいた投票券の発券要求と共に記録された投票金情報を通信制御部５１ｂ，５２ｂから競馬ホストコンピュータ２０及び競艇ホストコンピュータ３０に送信する。
【０１０４】
［ステップＳ３５，Ｓ３６］  競馬ホストコンピュータ２０及び競艇ホストコンピュータ３０は受信した投票情報及び投票金情報を登録してそれぞれ発券要求された投票券に追番を割り振って、発券許可通知をホスト通信部５１，５２にそれぞれ送信する。
【０１０５】
ホスト通信部５１，５２の通信制御部５１ｂ，５２ｂが発券許可通知を受信すると、投票情報管理部５１ｃ，５２ｃが当該発券許可を情報制御部５４にそれぞれ通知する。
［ステップＳ３７］  情報制御部５４の発払制御管理部５４ｄは、発券許可が通知されると、端末通信部５３に投票情報に基づいた投票券の発券実行要求を通知する。
【０１０６】
端末通信部５３の情報変換部５３ｂは通知された発券実行要求を投票端末４０に対応した電文ＩＤの形式に変換して、通信制御部５３ａから投票端末４０に送信する。
以上により、投票端末４０からユーザに所望の投票券が発券される。
【０１０７】
なお、発払制御管理部５４ｄは、ステップＳ３５，Ｓ３６で発券実行要求を通知する際に、競馬ホストコンピュータ２０及び競艇ホストコンピュータ３０で割り振った追番とは別に独自に投票券を管理する。以下にその例を説明する。
【０１０８】
図１２は、第２の実施の形態に係る公営競技通信制御装置の投票券に対する追番の割り振り処理を説明するための図である。
競馬ホストコンピュータ２０、競艇ホストコンピュータ３０及び公営競技通信制御装置５０で管理されている投票券に割り振られた追番を図１２は表している。
【０１０９】
まず、競馬ホストコンピュータ２０で発券登録した投票券に対して「１」、「２」、「３」、「４」、……の追番が割り振られている。
同様に、競艇ホストコンピュータ３０でも発券登録した投票券に対して「１」、「２」、「３」、「４」、……の追番が割り振られている。
【０１１０】
これに対して、公営競技通信制御装置５０の発払制御管理部５４ｄは、競馬ホストコンピュータ２０及び競艇ホストコンピュータ３０で追番が割り振られた投票券の発券許可が通知されると、当該投票券に対してさらに追番を割り振り、割り振った追番を発払履歴情報記録部５４ｂに記録する。具体的には、発払制御管理部５４ｄは、図１２に示されるように、競馬ホストコンピュータ２０から追番が「１」、「２」、「３」が割り振られた投票券の発券許可が通知されると、追番「１」、「２」、「３」をさらに割り振る。次に競艇ホストコンピュータ３０から追番「１」が割り振られた投票券の発券許可が通知されると、さらに追番「４」を割り振る。
【０１１１】
このようにして発払制御管理部５４ｄは、競馬ホストコンピュータ２０及び競艇ホストコンピュータ３０から通知された追番が割り振られた投票券の発券許可が通知されるとさらに独自に追番を割り振ることで、投票端末４０から発券される投票券を管理することが可能となる。
【０１１２】
したがって、既に発券された投票券をユーザが取り消す場合には、以下の処理が行われる。
図１３は、第２の実施の形態に係る公営競技情報処理システムの投票券の取り消し処理を実行するためのシークエンス図である。
【０１１３】
［ステップＳ４１］  ユーザが投票端末４０に対して入力部４２２に操作入力を行って取り消し要求を行うと共に投票券処理ユニット４４０に投票券を投入して、入力情報受付部４１が投票券の取り消し要求を受け付けると、投票制御部４２は、取り消し要求を通信制御部４３から端末通信部５３に送信する。
【０１１４】
なお、当該取り消し要求は、例えばステップＳ３１と同様に、情報制御部５４まで通知される。
情報制御部５４の発払制御管理部５４ｄは、発払履歴情報記録部５４ｂを参照して、通知された取り消し対象の投票券が発券されているか否かを判定する。次の処理は、通知された取り消し対象の投票券が発券されていない場合にはステップＳ４２に進められ、発券されている場合にはステップＳ４３，Ｓ４４に進められる。
【０１１５】
［ステップＳ４２］  ステップＳ３２と同様にして、投票端末４０は投票券の取り消しが不可である旨を表示部４２１に表示する。
［ステップＳ４３，Ｓ４４］  情報制御部５４の発払制御管理部５４ｄは、取り消し要求の対象の投票内容に対応する公営競技を判別して、判別した公営競技に対応するホスト通信部５１，５２に当該取り消し要求を通知する。また、資金情報制御部５４ｅも、取り消し要求対象の投票内容に対応する公営競技を判別して、判別した公営競技に対応するホスト通信部５１，５２の資金情報記録部５１ａ，５２ａに取り消し要求対象の投票金情報を減算して記録する。
【０１１６】
ホスト通信部５１，５２の投票情報管理部５１ｃ，５２ｃは、取り消し要求と共に減算した投票金情報を通信制御部５１ｂ，５２ｂから競馬ホストコンピュータ２０及び競艇ホストコンピュータ３０に送信する。
【０１１７】
［ステップＳ４５，Ｓ４６］  競馬ホストコンピュータ２０及び競艇ホストコンピュータ３０は受信した取り消し要求及び投票金情報に応じて、取り消し対象の投票と投票金を登録から取り消し、取り消し完了通知と当該投票金情報とをホスト通信部５１，５２にそれぞれ送信する。
【０１１８】
なお、取り消し完了通知及び投票金情報は、例えばステップＳ３５，Ｓ３６と同様に、情報制御部５４にそれぞれ通知される。
［ステップＳ４７］  情報制御部５４の発払制御管理部５４ｄは、取り消し完了した旨が通知されると、発払履歴情報記録部５４ｂに記録した取り消し対象の投票券の追番を削除して、端末通信部５３に取り消し完了した旨を通知する。また、資金情報制御部５４ｅは、取り消し対象の投票金情報が通知されると、端末通信部５３に当該投票金情報を通知する。
【０１１９】
なお、取り消し完了した旨及び投票金情報は、例えばステップＳ３７と同様に投票端末４０に送信される。
以上により、投票端末４０から取り消し要求した投票券が取り消されると共に、当該投票券に対応する投票金がユーザに返却される。
【０１２０】
次に、競馬及び競艇に対して投票した投票券が当たり、配当金の払い戻しを実行するための処理について説明する。
図１４は、第２の実施の形態に係る公営競技情報処理システムの払い戻し処理を実行するためのシークエンス図である。
【０１２１】
［ステップＳ５１］  ユーザが投票端末４０に対して入力部４２２に操作入力を行って払い戻し要求を行うと共に投票券処理ユニット４４０に投票券を投入して、入力情報受付部４１が払い戻し要求を受け付けると、投票制御部４２は、払い戻し要求を通信制御部４３から端末通信部５３に送信する。
【０１２２】
なお、当該払い戻し要求は、例えばステップＳ３１と同様に、情報制御部５４まで通知される。
また、情報制御部５４の発払制御管理部５４ｄは、例えばステップＳ３１と同様に、発払履歴情報記録部５４ｂを参照して、通知された払い戻し対象の投票券が発券されているか否かを判定して、次の処理は、通知された払い戻し対象の投票券が発券されていない場合にはステップＳ５２に進められ、発券されている場合にはステップＳ５３，Ｓ５４に進められる。
【０１２３】
［ステップＳ５２］  ステップＳ３２と同様にして、投票端末４０は投票券の払い戻しが不可である旨を表示部４２１に表示する。
［ステップＳ５３，Ｓ５４］  情報制御部５４の発払制御管理部５４ｄは、払い戻し要求の対象の投票券に対応する公営競技を判別して、判別した公営競技に対応するホスト通信部５１，５２に当該払い戻し要求を通知する。また、資金情報制御部５４ｅも、払い戻し要求の対象となる投票券に対応する公営競技を判別して、判別した公営競技に対応するホスト通信部５１，５２の資金情報記録部５１ａ，５２ａに払い戻し対象の配当金情報を減算して記録する。
【０１２４】
なお、払い戻し要求及び減算した配当金情報は、例えばステップＳ４３，Ｓ４４と同様に、競馬ホストコンピュータ２０及び競艇ホストコンピュータ３０に送信される。
［ステップＳ５５，Ｓ５６］  競馬ホストコンピュータ２０及び競艇ホストコンピュータ３０は受信した払い戻し要求及び配当金情報に応じて、払い戻し対象の投票と配当金を登録し、払い戻し実行要求及び配当金情報をホスト通信部５１，５２にそれぞれ送信する。
【０１２５】
なお、払い戻し実行要求及び配当金情報は、例えばステップＳ３５，Ｓ３６と同様に、情報制御部５４にそれぞれ通知される。
［ステップＳ５７］  情報制御部５４の発払制御管理部５４ｄは、払い戻し実行要求及び配当金情報が通知されると、端末通信部５３に払い戻し実行要求及び配当金情報を通知すると共に、発払履歴情報記録部５４ｂに払い戻し履歴を記録する。
【０１２６】
以上により、投票端末４０から配当金がユーザに出金される。
次に、競馬及び競艇に対する投票を終了させる際の処理について説明する。
図１５は、第２の実施の形態に係る公営競技情報処理システムの終了処理を実行するためのシークエンス図である。
【０１２７】
［ステップＳ６１］  ユーザが投票端末４０に対して入力部４２２に投票終了要求の操作入力を行って、入力情報受付部４１が投票終了要求を受け付けると、投票制御部４２は、投票終了要求を通信制御部４３から端末通信部５３に送信する。
【０１２８】
なお、当該取り消し要求は、例えばステップＳ３１と同様に、情報制御部５４まで通知される。
［ステップＳ６２，Ｓ６３］  情報制御部５４の資金情報制御部５４ｅは、投票終了要求が通知されると、ホスト通信部５１，５２の資金情報記録部５１ａ，５２ａに記録されている資金情報をそれぞれ取得する。
【０１２９】
［ステップＳ６４］  情報制御部５４の資金情報制御部５４ｅは、取得した資金情報を１つにまとめて合算した資金情報にして、端末通信部５３に通知する。
［ステップＳ６５］  投票端末４０は、端末通信部５３の通信制御部５３ａから投票端末４０の電文ＩＤの形式に変換され、合算された資金情報を通信制御部５３ａから受信すると、合算された資金情報と、現金処理ユニット４５０に残存している現金とを比較する。
【０１３０】
以上により、投票端末４０は、現金処理ユニット４５０に残存している現金と、公営競技通信制御装置５０から通知された資金情報とに相違が無いことを確認することができる。
【０１３１】
それでは、以下に、公営競技情報処理システム１０における運用情報の送信及び更新処理の具体例について説明する。
また、例えば、競馬場では「川崎競馬場」、「船橋競馬場」、「大井競馬場」で、また、競艇場では「唐津競艇場」、「江戸川競艇場」、「福岡競艇場」でそれぞれレースが行われているとする。
【０１３２】
＜実施例１＞
実施例１では、投票端末４０に競馬及び競艇の競技場の運用情報が表示される場合について説明する。
【０１３３】
なお、事前に投票端末４０には準備金として１０万円を充填しており、ホスト通信部５１，５２の資金情報記録部５１ａ，５２ａにはそれぞれ６万円、４万円に相当する金額情報を記録しておく。
【０１３４】
まず、ユーザが投票端末４０に電源を投入すると、投票端末４０は公営競技通信制御装置５０を介して競馬ホストコンピュータ２０及び競艇ホストコンピュータ３０に運用情報の転送要求を送信する（図１０のステップＳ２１，Ｓ２２）。
【０１３５】
競馬ホストコンピュータ２０は、現在レースが開催されている「川崎競馬場」、「船橋競馬場」、「大井競馬場」の開催内容を表す運用情報を公営競技通信制御装置５０のホスト通信部５１に送信する。また、競艇ホストコンピュータ３０は、現在レースが開催されている「唐津競艇場」、「江戸川競艇場」、「福岡競艇場」の開催内容を表す運用情報を公営競技通信制御装置５０のホスト通信部５２に送信する。
【０１３６】
ホスト通信部５１，５２の投票情報管理部５１ｃ，５２ｃは競馬及び競艇の運用情報を情報制御部５４にそれぞれ通知する（図１０のステップＳ２３，Ｓ２４）。
そして、情報制御部５４の運用情報制御部５４ｃは、通知された競馬及び競艇の運用情報を１つにまとめて、端末通信部５３に通知する（図１０のステップＳ２５）。
【０１３７】
但し、情報制御部５４の運用情報制御部５４ｃは運用情報を１つにまとめる際には優先順に基づいて行う。
図１６は、第２の実施の形態に係る表示する際の優先順位の例を表す図である。
【０１３８】
表示の優先順位として、図１６に示されるように、上から「大井競馬場」、「川崎競馬場」、「船橋競馬場」、「江戸川競艇場」、「唐津競艇場」、「福岡競艇場」の順になっている。なお、このような優先順位は公営競技情報処理システム１０の管理者が外部管理装置６０に操作入力を行うことで、例えば、レースタイトル等を鑑みて、自由に決定することができる。
【０１３９】
このような優先順位に基づいて、情報制御部５４の運用情報制御部５４ｃは、通知された競馬及び競艇の運用情報を１つにまとめて表示情報を生成し、当該表示情報に基づいて、例えば図１７に示すように、投票端末４０に表示することができる（図１０のステップＳ２６）。
【０１４０】
図１７は、第２の実施の形態に係る投票端末の受付画面の表示例を説明するための図である。
表示画面１００は、例えば、タッチパネル方式であって、開催場所表示領域１１１、出走取消表示領域１１２、選択ボタン領域１３０、表示ボタン領域１４０、終了ボタン領域１５０が表示されている。
【０１４１】
開催場所表示領域１１１には、図１６の優先順位に基づいて競馬場及び競艇場が表示されている。また、開催場所表示領域１１１には、各開催場所に対して、レース番号（例えば、「１Ｒ」は第１レースを表す）が表示されており、レース番号が破線で囲まれているものは現在払い戻し中を表し、実線で囲まれているものは現在投票受け付け中であることを表している。ユーザは任意のレース番号をタッチすることにより、当該レース番号のレースの開催内容が表示される。
【０１４２】
出走取消表示領域１１２は、出走が取り消されたレースが表示される。
選択ボタン領域１３０は、開催場所表示領域１１１から表示したいレースのレース番号を選択し、更に他のレースを表示したい場合に、選択ボタン領域１３０をタッチすることで他のレース番号を指定することができる。
【０１４３】
表示ボタン領域１４０は、タッチされると、選択されたレース番号に対応するレースを表示することができる。
終了ボタン領域１５０は、タッチされると、投票端末４０による投票を終了する。
【０１４４】
このようにして投票端末４０に投票受付画像を表示することができる。
＜実施例２＞
実施例２では実施例１のように表示された受付画面に対して投票する場合について説明する。
【０１４５】
図１８は、第２の実施の形態に係る投票端末の投票、払い戻し、取り消し受付の表示例を説明するための図である。
このような表示画面１００に対してユーザが、例えば、「大井競馬場」の投票受け付け中である「７Ｒ」、選択ボタン領域１３０、「江戸川競艇場」の払い戻し中である「４Ｒ」及び表示ボタン領域１４０を順にタッチすることにより、図１８の表示画面１００に示されるように「大井競馬場」の「７Ｒ」及び「江戸川競艇場」の「４Ｒ」の内容が表示される。
【０１４６】
図１８の表示画面１００には、表示領域１２１に投票受け付け中の「大井競馬場」の開催内容が、表示領域１２２に払い戻し中の「江戸川競艇場」の開催内容がそれぞれ表示されている。また、現在表示されている画面の前に表示されていた画面に戻り、また、再び表示画面に戻るための表示切り替えボタン領域１１３が表示されている。
【０１４７】
なお、表示領域１２１には、これから出走する馬及び騎手等の情報を表示するレース情報表示領域１２１ａ、レース情報表示領域１２１ａから選択した馬での投票を実行させる際にユーザによりタッチされる投票ボタン領域１２１ｂ及びレース情報表示領域１２１ａから馬の選択を取り消す際にユーザによりタッチされる選択クリアボタン領域１２１ｃが設けられている。さらに、表示領域１２１には、既に当該レースにおいて発券されている投票券の取り消しを実行する際にユーザによりタッチされる取り消しボタン領域１２１ｄが設けられている。
【０１４８】
また、表示領域１２２には、レースの結果を表示するレース結果表示領域１２２ａ、レースの結果に応じた配当金に関する情報を表示する払い戻し表示領域１２２ｂ及びユーザがタッチすることで払い戻しを実行する払い戻しボタン領域１２２ｃが設けられている。
【０１４９】
ユーザは投票端末４０に表示されている「大井競馬場」の第７レースについて表示領域１２１中から、所望の馬をタッチすることで選択する。そして、現金処理ユニット４５０に投票に必要な額の投票金を、例えば２万円投入し、投票ボタン領域１２１ｂをタッチすることで投票を行うことができる。このような投票内容の投票情報及び投票金情報は、公営競技通信制御装置５０の情報制御部５４に通知される（図１１のステップＳ３１）。
【０１５０】
情報制御部５４の発払制御管理部５４ｄは、発券要求の投票情報が競馬であることを判別して、競馬に対応するホスト通信部５１に当該発券要求を通知する。また、資金情報制御部５４ｅも、投票金情報が競馬に対応していることを判別して、競馬に対応するホスト通信部５１の資金情報記録部５１ａに２万円に対応する投票金情報を増額して記録する。ホスト通信部５１の投票情報管理部５１ｃは、投票情報に基づいた投票券の発券要求と共に記録された投票金情報を通信制御部５１ｂから競馬ホストコンピュータ２０に送信する（図１１のステップＳ３３）。
【０１５１】
競馬ホストコンピュータ２０は受信した投票情報及び投票金情報を登録してそれぞれ発券要求された投票券に追番を割り振って、発券許可通知をホスト通信部５１に送信する。ホスト通信部５１の通信制御部５１ｂが発券許可通知を受信すると、投票情報管理部５１ｃが当該発券許可を情報制御部５４にそれぞれ通知する（図１１のステップＳ３５）。
【０１５２】
情報制御部５４の発払制御管理部５４ｄは、発券許可が通知されると、端末通信部５３に投票情報に基づいた投票券の発券実行要求を通知し、端末通信部５３の情報変換部５３ｂは通知された発券実行要求を投票端末４０に対応した電文ＩＤの形式に変換して、通信制御部５３ａから投票端末４０に送信する（図１１のステップＳ３７）。
【０１５３】
そして、ユーザは投票端末４０の投票券処理ユニット４４０から所望の投票に対応した投票券を取得することができる。
＜実施例３＞
実施例３では、既に発券された投票券の取り消しを行う場合について説明する。
【０１５４】
なお、ユーザは、既に「大井競馬場」の第７レースに投票して投票券を１万円で購入しているものとする。
ユーザは、投票端末４０の投票券処理ユニット４４０に既に購入してある投票券を投入して、投票端末４０の表示画面１００に表示されている表示領域１２１の「大井競馬場」の取り消しボタン領域１２１ｄをタッチする。すると、投票端末４０は公営競技通信制御装置５０の端末通信部５３に取り消し要求を送信する。そして、当該取り消し要求は、実施例２と同様に、情報制御部５４まで通知される（図１３のステップＳ４１）。
【０１５５】
情報制御部５４の発払制御管理部５４ｄは、取り消し要求の対象の投票内容が競馬に対応するものであることを判別して、競馬に対応するホスト通信部５１に当該取り消し要求を通知する。また、資金情報制御部５４ｅも、取り消し要求対象の投票内容が競馬に対応するものであることを判別して、競馬に対応するホスト通信部５１の資金情報記録部５１ａに取り消し要求対象の１万円に対応する投票金情報を減額して記録する。
【０１５６】
ホスト通信部５１の投票情報管理部５１ｃは、取り消し要求と共に減額対象の１万円に対応する投票金情報を通信制御部５１ｂから競馬ホストコンピュータ２０に送信する（図１３のステップＳ４３）。
【０１５７】
競馬ホストコンピュータ２０は受信した取り消し要求及び投票金情報に応じて、取り消し対象の投票と投票金を登録から取り消し、取り消し完了通知と当該投票金情報とをホスト通信部５１に送信する。取り消し完了通知及び投票金情報は、実施例２と同様に、情報制御部５４に通知される（図１３のステップＳ４５）。
【０１５８】
情報制御部５４の発払制御管理部５４ｄは、取り消し完了した旨が通知されると、発払履歴情報記録部５４ｂに記録した取り消し対象の投票券の追番を削除して、端末通信部５３に取り消し完了した旨を通知する。また、資金情報制御部５４ｅは、取り消し対象の１万円に対応する投票金情報が通知されると、端末通信部５３に当該投票金情報を通知する。取り消し完了した旨及び投票金情報は、実施例２と同様に投票端末４０に送信される。（図１３のステップＳ４７）
そして、ユーザは投票券を取り消すことができると共に、当該投票券に対応した投票金である１万円を投票端末４０の現金処理ユニット４５０から返却される。
【０１５９】
＜実施例４＞
実施例４では当たり投票券の払い戻しを行う場合について説明する。
ユーザは投票端末４０の表示画面１００に表示されている表示領域１２２の「江戸川競艇場」の第４レースの結果を参照して、投票券処理ユニット４４０に終了したレースに対応する投票券を投入し、払い戻しボタン領域１２２ｃをタッチして、払い戻しを行うことができる。このような払い戻し要求は、公営競技通信制御装置５０の情報制御部５４に通知される（図１４のステップＳ５１）。
【０１６０】
情報制御部５４の発払制御管理部５４ｄは、払い戻し要求の対象の投票券が競艇であることを判別して、競艇に対応するホスト通信部５２に当該払い戻し要求を通知する。また、資金情報制御部５４ｅも、払い戻し要求の対象となる投票券が競艇であることを判別して、判別した競艇に対応するホスト通信部５２の資金情報記録部５２ａに払い戻し対象の配当金である３万円に対応する配当金情報を減額して記録する。そして、当該払い戻し要求及び当該配当金情報は、実施例２と同様に、競艇ホストコンピュータ３０に送信される（図１４のステップＳ５４）。
【０１６１】
競艇ホストコンピュータ３０は受信した払い戻し要求及び配当金情報に応じて、払い戻し対象の投票と配当金を登録し、払い戻し実行要求及び配当金情報をホスト通信部５２にそれぞれ送信する。そして、払い戻し実行要求及び配当金情報は、実施例２と同様に、情報制御部５４に通知される（図１４のステップＳ５６）。
【０１６２】
情報制御部５４の発払制御管理部５４ｄは、払い戻し実行要求及び配当金情報が通知されると、端末通信部５３に払い戻し実行要求及び配当金情報を通知すると共に、発払履歴情報記録部５４ｂに払い戻し履歴を記録する。
【０１６３】
払い戻し実行要求及び配当金情報は、実施例２と同様に投票端末４０に送信される（図１４のステップＳ５７）。
そして、ユーザは投票端末４０の現金処理ユニット４５０から当たり投票券に応じた配当金の３万円を受領することができる。
【０１６４】
＜実施例５＞
実施例５では投票を終了する場合について説明する。
ユーザは投票端末４０の図１８に示す表示画面１００の表示切り替えボタン領域１１３をタッチして図１７に示す表示画面１００に表示を切り替える。そして、終了ボタン領域１５０をタッチする。すると、投票端末４０の入力情報受付部４１が投票終了要求を受け付けて、投票制御部４２は、投票終了要求を通信制御部４３から端末通信部５３に送信する。当該取り消し要求は、実施例２と同様に、情報制御部５４まで通知される（図１５のステップＳ６１）。
【０１６５】
情報制御部５４の資金情報制御部５４ｅは、投票終了要求が通知されると、ホスト通信部５１の資金情報記録部５１ａに記録されている８万円（準備金６万円＋投票金２万円（取り消し金は相殺））に対応する資金情報を取得する。さらに、ホスト通信部５１の資金情報記録部５１ａに記録されている１万円（準備金４万円−配当金３万円）に対応する資金情報を取得する。そして、取得した資金情報を１つにまとめて合算した９万円に対応する資金情報を端末通信部５３に通知する（図１５のステップＳ６２〜Ｓ６４）。
【０１６６】
投票端末４０は、端末通信部５３の通信制御部５３ａから投票端末４０の電文ＩＤの形式に変換された９万円に対応する資金情報を通信制御部５３ａから受信すると、投票端末４０の現金処理ユニット４５０に残存する金額も９万円（＝準備金１０万円＋投票金２万円―配当金３万円）であることを確認して、投票端末４０による投票が終了する（図１５のステップＳ６５）。
【０１６７】
このように、競馬ホストコンピュータ２０及び競艇ホストコンピュータ３０と、競馬または競艇に対する投票を受け付ける投票端末４０との間の通信を行うために公営競技通信制御装置５０を設けた。公営競技通信制御装置５０は、運用情報制御部５４ｃにより競馬ホストコンピュータ２０及び競艇ホストコンピュータ３０から送信された運用情報を１つにまとめて表示情報を生成して、当該表示情報に基づいて投票端末４０に表示を行わせるようにした。また、資金情報制御部５４ｅ及び発払制御管理部５４ｄは、端末通信部５３が投票端末４０から受け付けた競馬または競艇に関する情報を、判別した競馬または競艇に対応するホスト通信部５１，５２に通知して、競馬ホストコンピュータ２０または競艇ホストコンピュータ３０に送信するようにした。
【０１６８】
これにより、投票端末４０は競馬ホストコンピュータ２０または競艇ホストコンピュータ３０からの受信順に関わらず表示することが可能となり、投票端末４０から競馬または競艇に対して同時に投票することが可能になる。したがって、競馬ホストコンピュータ２０または競艇ホストコンピュータ３０と投票端末４０とを即時通信することが可能となる。
【０１６９】
また、このような公営競技情報処理システム１０では、投票端末４０に充填した準備金を、公営競技通信制御装置５０に登録するだけで、事前設定に基づいて、当該準備金が競馬用及び競艇用に割り振られる。
【０１７０】
これにより、公営競技ごとに資金の入出金が管理しやすくなる。また、管理者によって準備金を競馬用及び競艇用に割り振る必要がなくなると共に保守操作ミスが生じることも無く、公営競技情報処理システム１０の運用向上につながる。
【０１７１】
なお、上記の処理機能は、コンピュータによって実現することができる。その場合、競馬ホストコンピュータ２０及び競艇ホストコンピュータ３０及び投票端末４０が有すべき機能の処理内容を記述したプログラムが提供される。また、公営競技通信制御装置１，５０にも、公営競技通信制御装置１，５０が有すべき機能の処理内容を記述したプログラムを提供するようにしても構わない。そのプログラムをコンピュータで実行することにより、上記処理機能がコンピュータ上で実現される。処理内容を記述したプログラムは、コンピュータで読み取り可能な記録媒体に記録しておくことができる。コンピュータで読み取り可能な記録媒体としては、磁気記憶装置、光ディスク、光磁気記録媒体、半導体メモリ等がある。磁気記憶装置には、ハードディスク装置（ＨＤＤ）、フレキシブルディスク（ＦＤ）、磁気テープ等がある。光ディスクには、ＤＶＤ、ＤＶＤ−ＲＡＭ、ＣＤ−ＲＯＭ／ＲＷ等がある。光磁気記録媒体には、ＭＯ（Magneto-Optical disk）等がある。
【０１７２】
プログラムを流通させる場合には、例えば、そのプログラムが記録されたＤＶＤ、ＣＤ−ＲＯＭ等の可搬型記録媒体が販売される。また、プログラムをサーバコンピュータの記憶装置に格納しておき、ネットワークを介して、サーバコンピュータから他のコンピュータにそのプログラムを転送することもできる。
【０１７３】
プログラムを実行するコンピュータは、例えば、可搬型記録媒体に記録されたプログラムもしくはサーバコンピュータから転送されたプログラムを、自己の記憶装置に格納する。そして、コンピュータは、自己の記憶装置からプログラムを読み取り、プログラムに従った処理を実行する。なお、コンピュータは、可搬型記録媒体から直接プログラムを読み取り、そのプログラムに従った処理を実行することもできる。また、コンピュータは、ネットワークを介して接続されたサーバコンピュータからプログラムが転送されるごとに、逐次、受け取ったプログラムに従った処理を実行することもできる。
【０１７４】
また、上記の処理機能の少なくとも一部を、ＤＳＰ（Digital Signal Processor）、ＡＳＩＣ（Application Specific Integrated Circuit）、ＰＬＤ（Programmable Logic Device）等の電子回路で実現することもできる。
【符号の説明】
【０１７５】
１，５０  公営競技通信制御装置
２  ホスト通信部
３  投票端末通信部
４  情報制御部
４ａ  運用情報制御部
４ｂ  資金情報制御部
４ｃ  発払制御部
１０  公営競技情報処理システム
２０  競馬ホストコンピュータ
２１，３１  運用情報保持部
２２，３２  資金情報保持部
２３，３３  公営競技管理制御部
２４，３４  通信制御部
３０  競艇ホストコンピュータ
４０  投票端末
５１，５２  ホスト通信部
５１ａ，５２ａ  資金情報記録部
５１ｂ，５２ｂ，５３ａ  通信制御部
５１ｃ，５２ｃ  投票情報管理部
５３  端末通信部
５３ｂ  情報変換部
５４  情報制御部
５４ａ  運用情報記録部
５４ｂ  発払履歴情報記録部
５４ｃ  運用情報制御部
５４ｄ  発払制御管理部
５４ｅ  資金情報制御部
６０  外部管理装置
１００  表示画面
１１１  開催場所表示領域
１１２  出走取消表示領域
１１３  表示切り替えボタン領域
１３０  選択ボタン領域
１４０  表示ボタン領域
１５０  終了ボタン領域
１２１，１２２  表示領域
１２１ａ，１２２ａ  レース情報表示領域
１２１ｂ  投票ボタン領域
１２１ｃ  選択クリアボタン領域
１２１ｄ  取り消しボタン領域
１２２ｂ  払い戻し表示領域
１２２ｃ  払い戻しボタン領域
２１０，３１０，４１０  制御ユニット
２１１，３１１，４１１，５１２  ＣＰＵ
２１２，３１２，４１２，５１４  ＲＡＭ
２１３，３１３，４１３  通信部
２１４，３１４，４１４  グラフィック処理部
２１５，３１５，４１５，５１６  ＨＤＤ
２１６，３１６，４１６，５１５  入出力制御部
２１７，３１７，４１７，５１７  バス
２２０，３２０，４２０  表示入力ユニット
２２１，３２１，４２１  表示部
２２２，３２２，４２２  入力部
４３０  投票カード処理ユニット
４４０  投票券処理ユニット
４５０  現金処理ユニット
５１１  ホスト通信部
５１３  端末通信部
【図１】
2012141771.tif 000003
【図２】
2012141771.tif 000004
【図３】
2012141771.tif 000005
【図４】
2012141771.tif 000006
【図５】
2012141771.tif 000007
【図６】
2012141771.tif 000008
【図７】
2012141771.tif 000009
【図８】
2012141771.tif 000010
【図９】
2012141771.tif 000011
【図１０】
2012141771.tif 000012
【図１１】
2012141771.tif 000013
【図１２】
2012141771.tif 000014
【図１３】
2012141771.tif 000015
【図１４】
2012141771.tif 000016
【図１５】
2012141771.tif 000017
【図１６】
2012141771.tif 000018
【図１７】
2012141771.tif 000019
【図１８】
2012141771.tif 000020